(57)【要約】【課題】ライン取手に取り付けても取手として使用されにくく、掛けたタオルが、手元に近く使い勝手がよいと共にキャビネット等の扉や引き出しの前板に接触することがなく、タオルを掛けないときは邪魔にならないタオル掛けを提供する。【解決手段】ライン取手１０に着脱自在に取り付けられる左右一対のベース部材２１と、左右一対のベース部材２１に、先端側が回動可能に、基端部がそれぞれ支持された左右一対のアーム部材２５と、左右一対のアーム部材２５の先端部に支持された掛止バーと、掛止バーがライン取手１０の上側に位置すると共に平面的にベースキャビネット１の前面から離反した状態で、アーム部材２５を位置決めする位置決め機構とを備えており、位置決め機構は、アーム部材２５に形成された係止片と、この係止片が係止される、ベース部材２１の張出部に形成された弾性変形部に形成された突条とから構成されている。【選択図】        図１７
2011229742.tif 000002
【特許請求の範囲】
【請求項１】
収納家具の前面上部に設けられたレール型のライン取手に装着されるタオル掛けであって、
前記ライン取手に着脱自在に取り付けられる左右一対のベース部材と、
左右一対の前記ベース部材に、先端側が回動可能に、基端部がそれぞれ支持された左右一対のアーム部材と、
左右一対の前記アーム部材の先端部に支持された掛止バーと、
前記掛止バーが前記ライン取手の上側に位置すると共に平面的に前記収納家具の前面から離反した状態で、前記アーム部材を位置決めする位置決め機構とを備えていることを特徴とするタオル掛け。
【請求項２】
前記位置決め機構は、前記掛止バーを持って、前記収納家具の手前側に引っ張ると、前記アーム部材の位置決め状態が解除されるようになっている請求項１に記載のタオル掛け。
【請求項３】
前記ベース部材は、前記ライン取手に嵌着される嵌着部と、この嵌着部から前方側に張り出す、下方側に弾性変形する弾性変形部を有する張出部とを備え、
前記位置決め機構は、前記ベース部材の前記弾性変形部の上面に形成された突条と、前記アーム部材の基端部側に形成された係止片とを備え、
前記係止片が、前記弾性変形部を押し下げることによって前記突条を乗り越え、前記ベース部材における前記嵌着部側で前記突条に係止されることによって、前記アーム部材が位置決めされるようになっている請求項２に記載のタオル掛け。
【請求項４】
前記ベース部材に支持される前記アーム部材の基端部には、前記弾性変形部を含む前記ベース部材の前記張出部の前端部が嵌り込む凹部が形成されており、
前記ベース部材の前記張出部に形成された前記弾性変形部は、その前端側が垂下した垂下部を有している請求項３に記載のタオル掛け。
【請求項５】
下げた状態の前記アーム部材の揺動を防止する揺動防止機構を備えている請求項１、２、３または４に記載のタオル掛け。
【発明の詳細な説明】
【技術分野】
【０００１】
この発明は、キッチンキャビネット等の扉や引き出しの前板に取り付けられたレール型のライン取手に装着するタオル掛けに関する。
【背景技術】
【０００２】
この種のタオル掛けとしては、例えば、図１８及び図１９（ａ）、（ｂ）に示すように、キャビネットＣ等の扉や引き出しの前板ｄの上端部に取り付けられたライン取手ＬＫに着脱自在に装着される左右一対のベース部材５１のキャビネットから前方側に張り出した前端部に、タオルを掛ける直線状の掛止バー５２の両端部が支持された固定式のものや、図２０に示すように、ライン取手ＬＫに着脱自在に取り付けられるベース部材６１に、タオルを掛ける略四角形状の掛止リング６２が回動可能に支持された可動式のものがある。
【先行技術文献】
【特許文献】
【０００３】
【特許文献１】特開２００６−０２６２５１号公報
【特許文献２】特開２００９−１４２５４２号公報
【発明の概要】
【発明が解決しようとする課題】
【０００４】
ところで、上述した固定式のタオル掛け５０は、直線状の掛止バー５２がライン取手ＬＫの前方側で固定されているので、掛止バー５２が取手として使用される可能性が高く、ベース部材５１や掛止バー５２の取付部が破損するおそれがあると共に、タオルを掛けない場合でも、掛止バー５２が前方側に張り出しているので、邪魔であるといった問題がある。
【０００５】
一方、可動式のタオル掛け６０は、掛止リング６２が固定されておらず、通常は、ライン取手ＬＫの下方側に垂れ下がっているので、掛止リング６２が取手として使用されることはほとんどないが、掛止リング６２に掛けたタオルがライン取手ＬＫよりもかなり下方側に位置することになるので、タオル掛けとしての使い勝手が悪いと共に、掛止リング６２に掛けたタオルがキャビネット等の扉や引き出しの前板に接触し、ユーザが衛生面で不快感を抱きやすいといった問題がある。
【０００６】
そこで、この発明の課題は、ライン取手に取り付けても取手として使用されにくく、掛けたタオルが、手元に近く使い勝手がよいと共にキャビネット等の扉や引き出しの前板に接触することがなく、タオルを掛けないときは邪魔にならないタオル掛けを提供することにある。
【課題を解決するための手段】
【０００７】
上記の課題を解決するため、請求項１に係る発明は、収納家具の前面上部に設けられたレール型のライン取手に装着されるタオル掛けであって、前記ライン取手に着脱自在に取り付けられる左右一対のベース部材と、左右一対の前記ベース部材に、先端側が回動可能に、基端部がそれぞれ支持された左右一対のアーム部材と、左右一対の前記アーム部材の先端部に支持された掛止バーと、前記掛止バーが前記ライン取手の上側に位置すると共に平面的に前記収納家具の前面から離反した状態で、前記アーム部材を位置決めする位置決め機構とを備えていることを特徴とするタオル掛けを提供するものである。
【０００８】
また、請求項２に係る発明は、請求項１に係る発明のタオル掛けにおいて、前記位置決め機構は、前記掛止バーを持って、前記収納家具の手前側に引っ張ると、前記アーム部材の位置決め状態が解除されるようになっていることを特徴としている。
【０００９】
また、請求項３に係る発明は、請求項２に係る発明のタオル掛けにおいて、前記ベース部材は、前記ライン取手に嵌着される嵌着部と、この嵌着部から前方側に張り出す、下方側に弾性変形する弾性変形部を有する張出部とを備え、前記位置決め機構は、前記ベース部材の前記弾性変形部の上面に形成された突条と、前記アーム部材の基端部側に形成された係止片とを備え、前記係止片が、前記弾性変形部を押し下げることによって前記突条を乗り越え、前記ベース部材における前記嵌着部側で前記突条に係止されることによって、前記アーム部材が位置決めされるようになっていることを特徴としている。
【００１０】
また、請求項４に係る発明は、請求項３に係る発明のタオル掛けにおいて、前記アーム部材の基端部には、前記弾性変形部を含む前記ベース部材の前記張出部の前端部が嵌り込む凹部が形成されており、前記ベース部材の前記張出部に形成された前記弾性変形部は、その前端側が垂下した垂下部を有していることを特徴としている。
【００１１】
また、請求項５に係る発明は、請求項１、２、３または４に係る発明のタオル掛けにおいて、下げた状態の前記アーム部材の揺動を防止する揺動防止機構を備えていることを特徴としている。
【発明の効果】
【００１２】
以上のように、請求項１に係る発明のタオル掛けは、ライン取手に着脱自在に取り付けられる左右一対のベース部材に、掛止バーを支持しているアーム部材が回動可能に支持されているので、掛止バーがベース部材に固定されている従来の固定式のタオル掛けとは異なり、ライン取手に取り付けても取手として使用されにくく、破損のおそれが少なくなると共に、左右一対のアーム部材を、位置決め機構によって、掛止バーがライン取手の上側に位置する状態で位置決めすることができるようになっているので、タオルを掛ける際は、アーム部材を、掛止バーがライン取手の上側に位置する状態で位置決めすることによって、掛けたタオルが手元により近くなって、使い勝手がよい。
【００１３】
また、このタオル掛けでは、位置決め機構によって左右一対のアーム部材を位置決めした状態では、掛止バーが平面的に収納家具の前面から離反しているので、掛止リングがライン取手の下方側に垂れ下がっている従来の可動式のタオル掛けとは異なり、掛けたタオルが収納家具の扉や引き出しの前板に接触することがなく、ユーザが衛生面で不快感を抱きにくいと共に、タオルを掛けないときは、アーム部材を下げることによって、掛止バーが収納家具の前方側に張り出さなくなるので、邪魔になることもない。
【００１４】
特に、請求項２に係る発明のタオル掛けは、掛止バーを持って、収納家具の手前側に引っ張ると、位置決め機構によるアーム部材の位置決め状態が解除されるようになっているので、さらに、取手として使用されにくくなるという効果がある。
【００１５】
また、請求項３に係る発明のタオル掛けは、ベース部材の弾性変形部の上面に形成された突条と、アーム部材の基端部側に形成された係止片とを備えた位置決め機構を採用し、係止片が、弾性変形部を押し下げることによって突条を乗り越え、ベース部材における嵌着部側で突条に係止されることによって、アーム部材が位置決めされるようになっているので、特別な位置決め操作を行う必要がなく、掛止バーが支持されたアーム部材を持ち上げたり、引き下げたりするだけで、アーム部材の位置決め及びその解除を行うことができるので、操作性がよい。
【００１６】
また、請求項４に係る発明のタオル掛けは、アーム部材の基端部に、弾性変形部を含むベース部材の張出部の前端部が嵌り込む凹部が形成されており、ベース部材の張出部に形成された弾性変形部は、その前端側が垂下した垂下部を有しているので、アーム部材を下げた状態であっても、弾性変形部に形成された垂下部の存在により、アーム部材の凹部間にベース部材の内部構造が露出することがなく、体裁がよい。
【００１７】
また、請求項５に係る発明のタオル掛けは、下げた状態の前記アーム部材の揺動を防止する揺動防止機構を備えているので、アーム部材を下げたときに、前後方向へのバタツキを防止することができる。
【図面の簡単な説明】
【００１８】
【図１】この発明に係るタオル掛けの一実施形態をベースキャビネットのライン取手に装着したシステムキッチンを示す斜視図である。
【図２】同上のベースキャビネットにおけるタオル掛けの装着部分を示す部分正面図である。
【図３】同上のベースキャビネットにおけるタオル掛けの装着部分を示す部分側面図である。
【図４】（ａ）は同上のベースキャビネットを構成しているライン取手を示す斜視図、（ｂ）は同上のライン取手を示す縦断面図である。
【図５】（ａ）は同上のタオル掛けを示す斜視図、（ｂ）は同上のタオル掛けを示す平面図、（ｃ）は同上のタオル掛けを示す正面図、（ｄ）は同上のタオル掛けを示す側面図である。
【図６】（ａ）は同上のタオル掛けを構成しているベース部材を示す平面図、（ｂ）は同上のベース部材を示す側面図、（ｃ）は同上のベース部材を示す正面図、（ｄ）は同上のベース部材を示す背面図である。
【図７】（ａ）は同上のタオル掛けを構成しているアーム部材を示す平面図、（ｂ）は同上のアーム部材を示す側面図、（ｃ）は同上のアーム部材を示す正面図、（ｄ）は同上のアーム部材を示す背面図である。
【図８】図６（ａ）のＸ−Ｘ線に沿った断面図である。
【図９】図７（ａ）のＹ−Ｙ線に沿った断面図である。
【図１０】（ａ）は同上のタオル掛けのアーム部材を下げた状態を示す断面図、（ｂ）は同上のタオル掛けのアーム部材を上げた状態を示す断面図である。
【図１１】同上のタオル掛けのアーム部材を上げる際の弾性変形部の変形状態を示す拡大断面図である。
【図１２】（ａ）、（ｂ）は同上のタオル掛けのライン取手への装着動作を示す説明図である。
【図１３】（ａ）、（ｂ）は同上のタオル掛けのライン取手への装着動作を示す説明図である。
【図１４】（ａ）、（ｂ）は同上のタオル掛けのライン取手への装着動作を示す説明図である。
【図１５】同上のベースキャビネットにおけるタオル掛けのアーム部材を上げた状態を示す斜視図である。
【図１６】同上のベースキャビネットにおけるアーム部材を上げた状態のタオル掛けの装着部分を示す部分正面図である。
【図１７】同上のベースキャビネットにおけるアーム部材を上げた状態のタオル掛けの装着部分を示す部分側面図である。
【図１８】従来のキャビネットにおける固定式のタオル掛けの装着部分を示す部分正面図である。
【図１９】（ａ）は同上のタオル掛け部分を示す拡大斜視図、（ｂ）は同上のタオル掛け部分を示す断面図である。
【図２０】従来の可動式のタオル掛けを示す斜視図である。
【発明を実施するための形態】
【００１９】
以下、実施の形態について図面を参照して説明する。図１〜図３は、本発明のタオル掛け２０を取り付けたシステムキッチンを示している。このシステムキッチンは、同図に示すように、引き出しの前板１ａの上端部にレール型のライン取手１０が取り付けられたベースキャビネット１と、このベースキャビネット１の上端開口部に取り付けられた、シンク３等が連設されたワークトップ２とを備えており、ベースキャビネット１のライン取手１０にタオル掛け２０が着脱自在に装着されている。
【００２０】
前記ライン取手１０は、図４（ａ）、（ｂ）に示すように、後端側が上方側に湾曲した下面壁１１と、この下面壁１１の後端縁から立ち上がる後面壁１２と、この後面壁１２の上端縁から前方に張り出す上面壁１３と、前端縁が下面壁１１の前端縁よりも前方側に張り出すように、上面壁１３の前端縁から前方に向かって斜め下方に垂下する傾斜垂下片１４とを備えており、傾斜垂下片１４の前端縁には、後方側に突出する突条１４ａが形成されている。
【００２１】
前記下面壁１１の下面には、その前端部、中間部及び後端部に脚部１５がそれぞれ連設されており、後端側の脚部１５の下端には、下方に垂下する、複数のビス孔１６ａが形成された取付片１６が連設されている。
【００２２】
また、このライン取手１０の両端部には、図３に示すように、後面壁１２の上部から上面壁１３、傾斜垂下片１４にわたって内側に張り出す合成樹脂製のキャップ１７が嵌着されている。
【００２３】
以上のように構成されたライン取手１０は、３本の脚部１５を引き出しの前板１ａの上端面に載せると共に、取付片１６を引き出しの前板１ａの後面上端部に重ね合わせた状態で、取付片１６を引き出しの前板１ａの後面上端部にビス止めすることで、前板１ａに取り付けられている。
【００２４】
前記タオル掛け２０は、図５（ａ）〜（ｄ）に示すように、ライン取手１０に着脱自在に取り付けられる左右一対のベース部材２１と、左右一対のベース部材２１の先端部に基端部がそれぞれ支持された、先端側が回動可能なアーム部材２５と、両端部が左右一対のアーム部材２５、２５の先端部に支持された、タオルをかけるための円筒状の掛止バー２９とから構成されている。
【００２５】
前記ベース部材２１は、図６（ａ）〜（ｄ）及び図８に示すように、前方側からライン取手１０に着脱自在に嵌着される嵌着部２１Ａと、この嵌着部２１Ａの下端部から前方側に張り出す張出部２１Ｂとを備えており、嵌着部２１Ａ及び張出部２１Ｂは、基板２２と、この基板２２の両側縁に連設された左右一対の側面板２３、２３とによって一体的に形成されている。
【００２６】
前記嵌着部２１Ａを構成している基板２２には、その前面上部に、ライン取手１０に嵌着した状態で、ライン取手１０を構成している傾斜垂下片１４に形成された突条１４ａに係合する、横方向に延びる突条２２ａが形成されていると共に、その上面に形成された凹部２２ｂに、ライン取手１０に対する摩擦力を高めるゴム製または軟質合成樹脂製の滑り止め部材２４が、その上面から僅かに突出した状態で取り付けられており、嵌着部２１Ａを構成している側面板２３、２３は、その後方側下端コーナー部２３ａ及び後方側上端コーナー部２３ｂが円弧状に面取りされていると共に、その下端縁に、ライン取手１０を構成している下面壁１１の前端縁が嵌合する段部２３ｃが形成されている。
【００２７】
前記張出部２１Ｂを構成している基板２２は、その前方側に、張出部２１Ｂを構成している側面板２３、２３に連設されておらず、上下方向に弾性変形可能な弾性変形部２２ｃを備えており、この弾性変形部２２ｃは、その前端側が下方側に垂下した垂下部２２ｄと、この垂下部２２ｄの後方側を下方側に窪ませることによって形成された、上方側に突出した突条２２ｅとを有している。
【００２８】
前記張出部２１Ｂを構成している側面板２３、２３は、基板２２に連設されていない前端部の外面に、アーム部材２５を回動可能に支持するための円形の突起２３ｄ、２３ｄが形成されており、この前端部の下縁には、凹部２３ｅが形成されている。
【００２９】
前記アーム部材２５は、図７（ａ）〜（ｄ）及び図９に示すように、先端側に向かって徐々に幅狭になるように形成された略台形状の基板２６と、この基板２６の両側縁にそれぞれ連設されたフラットな側面板２７Ａ及び湾曲した側面板２７Ｂと、幅狭の先端部に形成された、掛止バー２９を支持する支持部２８とを備えており、側面板２７Ａ、２７Ｂの後端部側が基板２６から張り出すことによって、ベース部材２１に支持される基端部には、弾性変形部２２ｃを含むベース部材２１の張出部２１Ｂの前端部が嵌り込む凹部が形成されている。
【００３０】
前記側面板２７Ａ、２７Ｂの張出部には、円形孔２７ａが形成されており、この円形孔２７ａに、ベース部材２１の張出部２１Ｂに形成された突起２３ｄを嵌め込むことによって、アーム部材２５がベース部材２１に回動可能に支持されるようになっている。
【００３１】
前記基板２６の後端部には、その内面側に突出する係止片２６ａが一方の側面板２７Ａから他方の側面板２７Ｂにわたって形成されており、図１０（ａ）に示すように、係止片２６ａが、ベース部材２１の張出部２１Ｂに形成された凹部２３ｅに嵌合することで、アーム部材２５の前後方向へのバタツキが防止されるようになっており、アーム部材２５の先端側を持ち上げると、図１１に実線で示すように、係止片２６ａが、ベース部材２１の張出部２１Ｂに形成された弾性変形部２２ｃを下方側に弾性変形させながら突条２２ｅを乗り越えて、図１０（ｂ）に示すように、初期位置に復帰した突条２２ｅの後面に係止されることで、掛止バー２９を、ライン取手１０よりも上側で、平面的にベースキャビネット１の前面（引き出しの前板１ａの前面）から離反した位置に、位置決めすることができるようになっている。
【００３２】
前記支持部２８は、一方の側面板２７Ａに形成された円形凹部２８ａと、その側面板２７Ａから突出するように、円形凹部２８ａ内に配設された小径の円筒部２８ｂとから構成されており、円筒状の掛止バー２９の端部を、円形凹部２８ａと小径の円筒部２８ｂとの間に形成された隙間に嵌入することで、掛止バー２９を支持するようになっている。
【００３３】
以上のように構成されたタオル掛け２０をベースキャビネット１のライン取手１０に装着する場合は、図１２（ａ）、（ｂ）に示すように、ベース部材２１の嵌着部２１Ａが斜めになるように、タオル掛け２０全体を傾けた状態で、ベースキャビネット１の前面側からライン取手１０の下面壁１１と傾斜垂下片１４との間に挿入し、嵌着部２１Ａの円弧状に面取りされた後方側上端コーナー部２３ｂを後面壁１２に当接させる。
【００３４】
続いて、図１３（ａ）に示すように、嵌着部２１Ａの円弧状に面取りされた後方側下端コーナー部２３ａを下面壁１１に当接させ、同図（ｂ）及び図１４（ａ）に示すように、後方側上端コーナー部２３ｂを後面壁１２に当接させた状態で上方側に移動させると共に、後方側下端コーナー部２３ａを下面壁１１に当接させた状態で上方側に移動させると、嵌着部２１Ａに形成された突条２２ａが傾斜垂下片１４に形成された突条１４ａを前面側に押圧することで、傾斜垂下片１４及び上面壁１３を前方側に向かって斜め上方に弾性変形させながら、嵌着部２１Ａの突条２２ａが傾斜垂下片１４の突条１４ａを乗り越え、図１４（ｂ）に示すように、嵌着部２１Ａの突条２２ａと傾斜垂下片１４の突条１４ａとが相互に係合した状態で、タオル掛け２０がライン取手１０に装着される。
【００３５】
タオル掛け２０がライン取手１０に装着された状態では、嵌着部２１Ａがライン取手１０の上面壁１３と下面壁１１との間で突っ張るようになっており、これによって、ゴム製または軟質合成樹脂製の滑り止め部材２４がライン取手１０の上面壁１３に密着し、ライン取手１０に対するタオル掛け２０の移動が阻止されるようになっている。
【００３６】
また、タオル掛け２０がライン取手１０に装着された状態では、下面壁１１の前端縁が嵌着部２１Ａの段部２３ｃに嵌合すると共に、嵌着部２１Ａの後方側下端コーナー部２３ａが、湾曲した下面壁１１と後面壁１２とによって形成されるライン取手１０の下端コーナー部に嵌合するようになっている。
【００３７】
このようにして、ベースキャビネット１のライン取手１０に装着されたタオル掛け２０は、図１５〜図１７に示すように、タオル掛け２０のアーム部材２５を持ち上げて、掛止バー２９をライン取手１０よりも上側に位置決めした状態で、その掛止バー２９にタオルを掛けて使用することになる。
【００３８】
以上のように、このタオル掛け２０は、ライン取手１０に着脱自在に取り付けられる左右一対のベース部材２１に、掛止バー２９を支持しているアーム部材２５が回動可能に支持されており、しかも、アーム部材２５の係止片２６ａが、ベース部材２１の張出部２１Ｂに形成された弾性変形部２２ｃの突条２２ｅに係止されることによって、掛止バー２９がライン取手１０よりも上側に位置決めされるようになっているので、引き出しを開けるために、ライン取手１０の上側に位置決めされている掛止バー２９を持って、ベースキャビネット１の手前側に引っ張ると、アーム部材２５の係止片２６ａが、ベース部材２１の張出部２１Ｂに形成された弾性変形部２２ｃを下方側に弾性変形させながら突条２２ｅを乗り越えて、アーム部材２５の位置決め状態が簡単に解除されることになる。従って、このタオル掛け２０は、掛止バーがベース部材に固定されている従来の固定式のタオル掛けとは異なり、ライン取手１０に取り付けても取手として使用されにくく、破損のおそれが少なくなる。
【００３９】
また、このタオル掛け２０は、左右一対のアーム部材２５を位置決めすると、掛止バー２９がライン取手１０の上側に位置することになるので、タオルを掛ける際は、アーム部材２５を位置決めすることによって、掛けたタオルがキッチン使用者の手元により近くなり、使い勝手がよい。
【００４０】
また、このタオル掛け２０は、左右一対のアーム部材２５を持ち上げて位置決めした状態で、掛止バー２９が平面的にベースキャビネット１の前面（引き出しの前板１ａの前面）から離反しているので、掛止リングがライン取手の下方側に垂れ下がっている従来の可動式のタオル掛けとは異なり、掛けたタオルがベースキャビネット１の引き出しの前板１ａに接触することがなく、ユーザが衛生面で不快感を抱きにくいと共に、タオルを掛けないときは、アーム部材２５を下げることによって、掛止バー２９がベースキャビネット１の前方側に張り出さなくなるので、タオル掛け２０がキッチン使用者の邪魔にならない。
【００４１】
また、このタオル掛け２０は、アーム部材２５の側面板２７Ａ、２７Ｂの後端部側が基板２６から張り出すことによって、ベース部材２１に支持される基端部には、弾性変形部２２ｃを含むベース部材２１の張出部２１Ｂの前端部が嵌り込む凹部が形成されており、ベース部材２１の張出部２１Ｂに形成された弾性変形部２２ｃは、その前端側が垂下した垂下部２２ｄを有しているので、アーム部材２５を下げた状態であっても、弾性変形部２２ｃに形成された垂下部２２ｄの存在により、アーム部材２５の凹部間にベース部材２１の内部構造が露出することがなく、体裁が悪くなることもない。
【００４２】
また、このタオル掛け２０では、ベース部材２１の嵌着部２１Ａをライン取手１０に嵌着する際、嵌着部２１Ａにおける円弧状に面取りされた後方側下端コーナー部２３ａがライン取手１０の下面壁１１に当接しながら後方側に移動すると共に、嵌着部２１Ａにおける円弧状に面取りされた後方側上端コーナー部２３ｂがライン取手１０の後面壁１２に当接しながら上方側に移動し、嵌着部２１Ａの突条２２ａがライン取手１０における上面壁１３の前端縁から前方に向かって斜め下方に垂下した傾斜垂下片１４を押圧することによって、傾斜垂下片１４を前方側に弾性変形させるようになっているので、タオル掛け２０の嵌着部２１Ａをライン取手１０に円滑かつ容易に嵌着することができ、しかも、嵌着部２１Ａをライン取手１０に嵌着した状態では、嵌着部２１Ａがライン取手１０の上面壁１３と下面壁１１との間で突っ張るようになっているので、嵌着部２１Ａがライン取手１０に沿って移動しにくく、嵌着部２１Ａをライン取手１０に別途固定しなくても、タオル掛け２０をライン取手１０の任意の位置に簡単かつ確実に固定することができる。
【００４３】
なお、上述した実施形態では、ベースキャビネット１の前面側からライン取手１０にワンアクションで装着することができるタオル掛け２０について説明したが、これに限定されるものではなく、ベース部材をライン取手の端部側から嵌め込むタイプのタオル掛けや、ライン取手に嵌め込んだベース部材を固定手段によってライン取手に別途固定するタイプのタオル掛けであってもよい。
【００４４】
また、上述した実施形態では、システムキッチンを構成しているベースキャビネット１の引き出しの前板１ａの上端部に取り付けられたライン取手１０に装着するタオル掛けについて説明したが、これに限定されるものではなく、本発明は、引き出しの前板や扉の上端部にライン取手が取り付けられたべースキャビネット、洗面化粧台等の種々の収納家具に装着するタオル掛けに適用することができることは言うまでもない。
【産業上の利用可能性】
【００４５】
本発明は、種々の収納家具の扉や引き出しの前板に取り付けられたレール型のライン取手に着脱自在に装着するタオル掛けに利用することができる。
【符号の説明】
【００４６】
１  ベースキャビネット
１ａ  前板
２  ワークトップ
３  シンク
１０  ライン取手
１１  下面壁
１２  後面壁
１３  上面壁
１４  傾斜垂下片
１４ａ  突条
１５  脚部
１６  取付片
１６ａ  ビス孔
１７  キャップ
２０  タオル掛け
２１  ベース部材
２１Ａ  嵌着部
２１Ｂ  張出部
２２  基板
２２ａ  突条
２２ｂ  凹部
２２ｃ  弾性変形部
２２ｄ  垂下部
２２ｅ  突条（位置決め機構）
２３  側面板
２３ａ  後方側下端コーナー部
２３ｂ  後方側上端コーナー部
２３ｃ  段部
２３ｄ  突起
２３ｅ  凹部（揺動防止機構）
２４  滑り止め部材
２５  アーム部材
２６  基板
２６ａ  係止片（位置決め機構、揺動防止機構）
２７Ａ、２７Ｂ  側面板
２７ａ  円形孔
２８  支持部
２８ａ  円形凹部
２８ｂ  円筒部
２９  掛止バー
【図１】
2011229742.tif 000003
【図２】
2011229742.tif 000004
【図３】
2011229742.tif 000005
【図４】
2011229742.tif 000006
【図５】
2011229742.tif 000007
【図６】
2011229742.tif 000008
【図７】
2011229742.tif 000009
【図８】
2011229742.tif 000010
【図９】
2011229742.tif 000011
【図１０】
2011229742.tif 000012
【図１１】
2011229742.tif 000013
【図１２】
2011229742.tif 000014
【図１３】
2011229742.tif 000015
【図１４】
2011229742.tif 000016
【図１５】
2011229742.tif 000017
【図１６】
2011229742.tif 000018
【図１７】
2011229742.tif 000019
【図１８】
2011229742.tif 000020
【図１９】
2011229742.tif 000021
【図２０】
2011229742.tif 000022